(57)【要約】【課題】最小限の成形材料を使用しながら、流通時においてリフィル皿およびそれに充填されたリフィル用化粧料を十分に保護でき、しかも使用時においては簡単に取り出すことのできるリフィル皿用保護容器を提供すること。【解決手段】リフィル皿収納部が上側に突き出した形で形成され、当該リフィル皿収納部の上部には、リフィル皿収納部内上面とリフィル皿との間で一定の間隔を与えるための空間部が設けられ、当該リフィル皿収納部側面には、リフィル皿を保持するための係止用突部が設けられた下側が開放されたリフィル皿用保護容器であって、当該リフィル皿収納部側面に、これを切り開くための切り離し線が設けられていることを特徴とするリフィル皿用保護容器。【選択図】  図４
2004275640.tif 000002
【特許請求の範囲】
【請求項１】
リフィル皿収納部が上側に突き出した形で形成され、当該リフィル皿収納部の上部には、リフィル皿収納部内上面とリフィル皿との間で一定の間隔を与えるための空間部が設けられ、当該リフィル皿収納部側面には、リフィル皿を保持するための係止用突部が設けられた下側が開放されたリフィル皿用保護容器であって、当該リフィル皿収納部側面に、これを切り開くための切り離し線が設けられていることを特徴とするリフィル皿用保護容器。
【請求項２】
リフィル皿収納部側面に設けられた切り離し線が、点線もしくは鎖線であるミシン目線またはハーフカットである請求項１記載のリフィル皿用保護容器。
【請求項３】
リフィル皿収納部側面に設けられた係止用突部がリフィル皿収納部の内側に突き出た複数箇所の係止用突部である請求項１または請求項２記載のリフィル皿用保護容器。
【請求項４】
リフィル皿収納部側面に設けられた係止用突部が、対向する辺のジャバラ構造である請求項１ないし３の何れかの項記載のリフィル皿用保護容器。
【請求項５】
リフィル皿収納部内上面の略中央部を通る直線上の対向する位置で、かつリフィル皿開口部端面と重なる位置に凸部を設けた請求項１ないし４の何れかの項記載のリフィル皿用保護容器。
【発明の詳細な説明】
【０００１】
【発明の属する技術分野】
本発明はリフィル皿用保護容器に関し、更に詳細には、一枚のシートを成型することにより調製され、しかも保護容器中に収納されたリフィル皿が取り出しやすいリフィル皿用保護容器に関する。
【０００２】
【従来の技術】
近年、化粧品の分野では、ファンデーションやアイカラー、頬紅等を中心に、詰め替えが可能なリフィル容器による提供がなされるようになっている。このタイプの化粧料は使い切った後に、リフィル用化粧料を購入し、繰り返し詰め替え使用するというものである。
【０００３】
このリフィル用化粧料は、リフィル皿に充填され、通常簡易なプラスチック等の保持ケースに入れられ、保護された状態で販売されていることが普通である。そして、化粧料の充填されたリフィル皿を入れた保持ケースは、通常プラスチック材料でリフィル皿の保持部と蓋部とを成型し、これらが嵌合等することにより、リフィル皿を収納する仕組みとなっていることが多い（特許文献１、特許文献２等参照）。
【０００４】
しかしながら、この保持ケースは、商品が生産者から需要者へわたる間だけ必要なものであり、一旦リフィル用化粧料が需要者の手に渡ってしまえばゴミとなるだけのものであるから、環境や資源保護の立場から見れば、この保持ケースに用いるプラスチック材料等の成形材料は少なければ少ないほど好ましい。
【０００５】
このような観点から、一枚のシートを成型することにより形成されるリフィル皿用保護容器の使用も検討されているが、このものは収納されたリフィル皿が取り出しにくいという問題を抱えている。
【０００６】
すなわち、一枚のシートを成型したリフィル皿用保護容器では、下側が開放された状態になるため、しっかりとリフィル皿を保持し、リフィル皿の脱落を防止する必要がある。しかし、一方、しっかりと保持されたリフィル皿は、使用にあたって簡単に取り出せず、使用性の面での問題があった。
【０００７】
【特許文献１】
特開平１０−７５８１７号
【特許文献２】
特開平１１−２７６２４０号
【０００８】
【発明が解決しようとする課題】
本発明は、上記実情に鑑みなされたものであり、最小限の成形材料を使用しながら、流通時においてリフィル皿およびそれに充填されたリフィル用化粧料を十分に保護でき、しかも使用時においては簡単に取り出すことのできるリフィル皿用保護容器の提供をその課題とするものである。
【０００９】
【課題を解決するための手段】
本発明者らは、化粧料の充填されたリフィル皿を確実に保持、固定する手段について鋭意検討を行った結果、リフィル皿収納部の側面に切り離し線を設け、簡単に切り欠き部を形成できるようにすることにより、リフィル皿の確実な保持と、取り出しやすさの両立が可能であることを見出し、本発明を完成した。
【００１０】
すなわち本発明は、リフィル皿収納部が上側に突き出した形で形成され、当該リフィル皿収納部の上部には、リフィル皿収納部内上面とリフィル皿との間で一定の間隔を与えるための空間部が設けられ、当該リフィル皿収納部側面には、リフィル皿を保持するための係止用突部が設けられた下側が開放されたリフィル皿用保護容器であって、当該リフィル皿収納部側面に、これを切り開くための切り離し線が設けられていることを特徴とするリフィル皿用保護容器を提供するものである。
【００１１】
【発明の実施の形態】
次に、本発明の実施態様を示す図面を挙げ、本発明を更に詳しく説明する。
【００１２】
図１は、本発明のリフィル皿用保護容器の一態様の底面図、図２は右側面図、図３は正面図であり、図５はリフィル皿用保護容器中へのリフィル容器の収納方法を示す図面である。図中、１はリフィル皿用保護容器、２は係止用突部、３はリフィル皿収納部、４は切り離し線、５は凸部、６はリフィル皿、７はジャバラ構造、８は突出部を示す。
【００１３】
本発明のリフィル皿用保護容器１は、図１ないし図３で示すように、１枚のシートを成型することにより形成され、下側が開放された状態のものである。リフィル皿用保護容器１はリフィル皿収納部３の側面角部に、内側に突き出た４ヶ所係止用突部２が設けられ、更に、側面内側の突き出た山部７ａを有するジャバラ構造７が各々係止用突部として設けられている。これらの係止用突部により、図５に示すように化粧料を充填したリフィル皿６を保持し、リフィル皿収納部３に収納する。
【００１４】
リフィル皿６は、係止用突部２やジャバラ構造７の山部７ａとの間の弾性ないし摩擦で保持されるから、このリフィル皿用保護容器１を形成する材料としては、ある程度の弾性と、リフィル用容器材料との間で摩擦のある材料を使用することが好ましい。また、充填されたリフィル皿６中の化粧料の色等を簡単に確認するために透明な材料を使用することが好ましい。このような条件を満たす材料としては、例えば、ポリエチレンテレフタレート、ポリスチレン、ポリプロピレン、ポリエチレン、ポリカーボネートやこれらの再生樹脂等のプラスチック材料等を挙げることができる。
【００１５】
図の態様において、係止用突部２やジャバラ構造７は、４つの角部あるいは４側面すべてに設けられているが、例えば対向する２つの角部や、前側面と後ろ側面、左右両側面のように、対応する側面にのみ設けても良い。また、ジャバラ構造７での山部７ａの数は、２以上であれば特に制約されるものではない。更に、係止部としては、上記係止用突部２または上記ジャバラ構造７の何れか一方を有するものであっても良い。
【００１６】
一方、本発明リフィル皿用保護容器１に設けられた切り離し線４は、そのリフィル皿収納部３の側面を切り開くためのものである。この切り離し線４は、運送中等において自然に切れることなく、使用時には簡単に切り離せる程度の強度であることが望ましく、その形態としては、点線、鎖線等のミシン目線、ハーフカット（途中まで切れている線）等が好ましい。
【００１７】
この切り離し線４は、１本でも複数本でも良いが、少なくとも一つの側面に、ある程度の間隔（好ましくは指が入る大きさの間隔）を置いた２本の対として設けることが好ましい。そして、リフィル皿用保護容器１から、リフィル皿６を取り出すに当たっては、一つの側面において二本の対となっている切り離し線４の両方を切り、ここから指を入れてリフィル容器を取り出せばよい。
【００１８】
なお、切り離し線４の対は、対向する辺にそれぞれ設けても、またすべての辺に設けても良いが、切り離し線４の数を多くすればリフィル皿用保護容器１の強度が低下するから、一辺または対向する二辺に設けるようにすればよい。
【００１９】
一方、本発明のリフィル皿用保護容器１は、突き出した形状のリフィル皿収納部３中に、リフィル皿６の化粧料充填部側を収納、保護するのであるが、この充填面側とリフィル皿収納部３の上部平坦面の間に一定の間隔を有する空間を設けることが好ましい。この空間部の間隔としては、０．１から１０ｍｍ程度が好ましく、１から８ｍｍとすることがより好ましい。
【００２０】
更に、突き出した形状のリフィル皿収納部３中の上面には、上下方向に凸部５が設けられていることが好ましい（ここでいう凸部は、リフィル皿６から見た場合であり、リフィル保護容器から見れば凹部となる）。すなわち、リフィル皿用保護容器１中に収納されたリフィル皿裏面の、左右いずれかの端部を押すと、凸部５が支点となり、他の端部が上がる。そして、対の切り離し線４の両方を切り開いて形成された切り欠き部から指を入れ、上がった端部を引き起こすことにより、簡単にリフィル皿６を取り出すことができる。この凸部５は、リフィル皿収納部３の上面から、１から５ｍｍくぼんでいることが好ましい。
【００２１】
なお、図１では、凸部５は、図の上下方向に台形形状で対向した状態で設けられているが、リフィル容器の一端を押したときに他端を上げるための支点として作用する形状であればどのような形状でも良いから、上下方向に対向する半円形や半球状の突起であっても良く、また上下方向に対向する位置を連結した直方体の形状や、平べったいかまぼこ型の形状であっても良い。
【００２２】
リフィル皿用保護容器１において、リフィル皿収納部３の４角部近傍の外縁に設けられた突出部８は、製造ライン等において突出部８を設置させることによりリフィル皿用保護容器１と床面との摩擦を低減し、移動性を向上させるためのものである。また、箱容器への装填に際して、リフィル皿を装填したリフィル皿用保護容器１を箱容器へ収納した後、閉蓋時に箱容器に挿入される蓋板のフラップ（差込片）がリフィル皿用保護容器１と接触する面積を少なくし、フラップの挿入を容易にして箱容器を組み立て易くすることができるものである。更に、リフィル皿に対する緩衝作用も有するものである。突出部８は、上記の効果を損なわない範囲内において、その大きさ、位置は特に制限されない。
【００２３】
以上説明したリフィル皿保護容器１は、上記のように化粧料を充填したリフィル皿の周囲を係止用突部２やジャバラ構造７で保持するものである。そして、リフィル皿収納部３中に保持されたリフィル皿６は、リフィル皿収納部３の上面との間に空間部を有するため、きれいな状態で保存、販売することができる。また、上記したように上面に凸部５を設ければ、リフィル皿の一方の端部を押すことにより、凸部５を支点として他端が上がり、対の切り離し線４を切ることにより形成される切り欠き部に指を入れ、簡単に取り出すことができるものである。
【００２４】
【作用】
本発明のリフィル皿用保護容器１は、シートをプレス成形し、リフィル容器の充填部を保護するリフィル皿収納部３と、その周囲に保持手段として、係止用突部２あるいはジャバラ構造７を設け、更に切り欠き部形成のための切り離し線４を設けたものである。そして、このジャバラ構造７は、リフィル皿保護容器１の強度を高めると共に、その山部７ａにより流通段階において、リフィル皿６を確実に収納する。また、使用に際しては、対の切り離し線４を切り開くことにより、切り欠き部が簡単に形成され、簡単に取り出しができるものである。
【００２５】
【発明の効果】
本発明のリフィル皿用保護容器は、従来の同種のもののように蓋部と収納部に分かれておらず、極めて簡単な構成のものでありながら、十分にリフィル皿およびリフィル用化粧料を保護する目的を達成できるものである。
【００２６】
そして、構造が簡単であるため、使用する成型材料は半分で済み、しかも、製造は極めて簡単なものである。
【００２７】
従って、化粧品の簡易包装に貢献することのできるものであり、ひいては資源保護の立場からも価値の高いものである。
【図面の簡単な説明】
【図１】本発明のリフィル皿用保護容器の一実施態様の底面図。
【図２】本発明のリフィル皿用保護容器の一実施態様の右側面図。
【図３】本発明のリフィル皿用保護容器の一実施態様の正面図。
【図４】係止用突部の構成を示すリフィル皿用保護容器底面側からの斜視図。
【図５】リフィル皿用保護容器中へのリフィル容器の収納方法を示す図面。
【符号の説明】
１  …  …  リフィル皿用保護容器
２  …  …  係止用突部
３  …  …  リフィル皿収納部
４  …  …  切り離し線
５  …  …  凸部
６  …  …  リフィル皿
７…  …  ジャバラ構造
７ａ…  …山部
８…  …  突出部
以    上
【図１】
2004275640.tif 000003
【図２】
2004275640.tif 000004
【図３】
2004275640.tif 000005
【図４】
2004275640.tif 000006
【図５】
2004275640.tif 000007